(57)【要約】【課題】水槽を載置場所から動かすことなく容易に水槽内の水の部分交換や排泄物等の除去が行え、観賞性に非常に優れた、観賞用水槽体の排水量調整方法及びその観賞用水槽体を提供することを目的とする。【解決手段】水槽内の古い水は、水槽本体の底位置に備えられたホースを介して排水され、水槽内の古い水の排水量は、水槽内の水量を目視で確認しながら、ホースの一部部分に備えられた水位調整手段によって調整していることを特徴とする。【選択図】　　　図１
2004105117.tif 000002
【特許請求の範囲】
【請求項１】
水槽内の古い水は、水槽本体の底位置に備えられたホースを介して排水され、水槽内の古い水の排水量は、水槽内の水量を目視で確認しながら、ホースの一部部分に備えられた水位調整手段によって調整していることを特徴とする観賞用水槽体の排水量調整方法。
【請求項２】
水槽本体（１）の底位置には、架台（７）と、水抜手段（６）が備えられており、該水抜手段（６）は、水槽本体（１）の底位置に設けた水抜孔（１１）と、該水抜孔（１１）よりも１５％〜３０％大きな外径を有し且つ柔軟性と弾力性を保有するホース（１３）と、該ホース（１３）の流路を開閉し且つ水槽本体（１）内の水の排水量を調整する水位調整手段（１５）と、からなり、該ホース（１３）の一端は水抜孔（１１）内に弾力を利用して圧入しており、水抜孔（１１）を覆うようにフィルター部材（２２、２５、３３）が水槽本体（１）内の底面に載置してあることを特徴とする観賞用水槽体。
【請求項３】
前記水位調整手段（１５）は、一対の握り部（１６ａ）と、ホース（１３）を直接挟む一対の狭持部（１６ｂ）と、からなる、ペンチ型の把持具（１５）であり、該握り部（１６ａ）には、開閉が容易なようにバネ（１６ｃ）が備えられており、また、ホース（１３）を挟み固定しておくためのストッパー部材（１６ｄ）が備えてあることを特徴とする請求項２記載の観賞用水槽体。
【請求項４】
水槽本体（１）内には、仕切板（８）によって区画された花器として使用する区画槽（１０）を備えており、区画槽（１０）の底位置には、水抜手段（６）が備えてあることを特徴とする請求項２又は３記載の観賞用水槽体。
【発明の詳細な説明】
【０００１】
【発明の属する技術分野】
本発明は、金魚、熱帯魚等の観賞魚を飼育するための観賞用水槽体に関するものである。
【０００２】
【従来の技術】
水槽内で泳ぐ金魚や熱帯魚等の観賞魚は、観賞する人の気持ちを和ませ、優しい気持ちにさせたり、元気を与えてくれたりと、心を和ませる作用を有し、さらに水槽内に水生植物や石、岩等を入れることで、室内にいながらにしてあたかも水中にいるかのような臨場感を醸しだすことができ、観賞性を高めることができる。このように観賞価値の高い状態を維持するためには、観賞魚が病気にならず元気に生息できるような快適な環境を水槽内に保たなければならない。そのためにも、定期的に水槽内の水の部分交換を行なったり、また、水槽内の底に溜まった残り餌やふん等の排泄物の除去を行う必要がある。
【０００３】
しかしながら、水槽内の水の部分交換や排泄物等の除去作業を行う際には、水槽は観賞し易いように観賞する人の目の高さに合わせて台等の上に載置されていることが多いため、載置場所でしかも水槽の口部より作業を行うことは困難且つ不都合であるため、水槽を床に下ろしたり、別の場所に移動させなければならなかったが、移動の途中に水槽内の水が床にこぼれたり、水槽が大きいものになると水槽内の水と合わせると非常に重たくなり水槽を移動させることも非常に困難であり、従って作業が非常に面倒となり何ヶ月もの間水槽の水交換や掃除を行わず、観賞魚が快適に生息できる環境を崩し病気にさせてしまったり、最悪の場合は死に至らしめてしまうこともある。また、観賞性を高めるために水槽内に水性植物や石や岩等を見栄え等を考慮して入れてある場合は、水槽内の水交換や排泄物等の除去作業のために動かされてしまい、見栄えが悪くなり観賞価値が損なわれてしまう問題もあった。
【０００４】
【発明が解決しようとする課題】
そこで本発明は、前記事情に基づいてなされたものであり、水槽を載置場所から動かすことなく容易に水槽内の水の部分交換や排泄物等の除去が行え、観賞性に非常に優れた、観賞用水槽体の排水量調整方法及びその観賞用水槽体を提供することを目的とする。
【０００５】
【課題を解決するための手段】
上記目的を達成するために、本発明のうち請求項１記載の発明は、水槽内の古い水は、水槽本体の底位置に備えられたホースを介して排水され、水槽内の古い水の排水量は、水槽内の水量を目視で確認しながら、ホースの一部部分に備えられた水位調整手段によって調整していることを特徴とする。
ここで、水位調整手段とは、ホースの流路を開閉することが可能な全ての手段を含み、例えば、手動、栓体、クリップ、把持具、蛇口等が挙げられる。
【０００６】
このように調整すれば、水槽本体に備えられたホースの水位調整手段によって、水槽内の古い水の排水を行い、水槽の口部より新しい水を給水することで、水槽を設置場所から移動させることなく水槽内の水の部分交換を容易且つ効率的に行うことができ、また、水槽内の古い水の残量を任意に決めることが可能であるため、飼育している観賞魚に合わせて古い水の残量を調整することができるため、水槽内を観賞魚の生息に最も適した環境に容易に保つことができる。定期的に水槽内の古い水を全て排出することで、排泄物等を除去することが可能であり、水槽内をより一層快適な環境に保つことができる。
【０００７】
請求項２記載の発明のように、水槽本体の底位置には、架台と、水抜手段が備えられており、該水抜手段は、水槽本体の底位置に設けた水抜孔と、該水抜孔よりも１５％〜３０％大きな外径を有し且つ柔軟性と弾力性を保有するホースと、該ホースの流路を開閉し且つ水槽本体内の水の排水量を調整する水位調整手段と、からなり、該ホースの一端は水抜孔内に弾力を利用して圧入しており、水抜孔を覆うようにフィルター部材を水槽本体内の底面に載置することによって、水槽を設置場所から移動することなく、水槽本体の底位置に備えられた水抜手段により水槽内の水を容易に排水することが可能であるとともに、水位調整手段によって水槽内の水の排水量を任意に決めることが可能であるため、水槽内の水の部分交換を容易且つ効率的に行うことができる。また、水抜孔内にホースを圧入することでホースが強固に固定され、止具や接着剤を必要とせずに圧入したホースのズレや水漏れを防ぐことができる。ホースの素材としては、柔軟性と弾力性を保有するものであれば特に問わないが、例えば、フッ素ゴム製やシリコーン製等が挙げられ、水位調整手段を備える箇所にはシリコーン製のホースを使用することが望ましい。また、圧入するホースの外径を水抜孔の径に対して１５％〜３０％、好ましくは２０％〜２５％大きくしてあるのは、水抜孔内に圧入されたホースがより確実且つ強固に固定され、引き抜きが困難であるからである。水抜孔内に圧入するホースの一端は、水槽本体の底面と面一又は底面に沿うようにすることが望ましい。ホースは水抜孔内に圧入する以外にも、水抜孔内に固着し且つタケノコネジが形成された下端部分が水槽本体の底面より突出する取付部材をホースの一端内に嵌め込み連結させてもよい。フィルター部材を水槽本体内の底面に載置することで、体裁を良くするために水槽内に玉砂利等を入れた場合でも、ホース内に玉砂利が入りつまることを防ぐことができる。架台に関しては、食卓、テーブル、箱等水交換作業をする際に手が入るスペースが確保できるものであれば特に問わず、ホースを架台内に収容し外観上の体裁を良くすることが望ましい。
【０００８】
ここで、水位調整手段に関しては、手動、栓体、クリップ、蛇口等特に問わないが、請求項３記載の発明のように、水位調整手段は、一対の握り部と、ホースを直接挟む一対の狭持部と、からなる、ペンチ型の把持具であり、該握り部には、開閉が容易なようにバネが備えられており、また、ホースを挟み固定しておくためのストッパー部材を備えることによって、握り部とバネ圧によってホースの流路を容易に広狭することが可能であり、排水量の調整がより一層容易且つ正確に行うことができる。また、ストッパー部材を備えることによって、ホースを狭持部によって確実に把持しておくことが可能であり、水漏れを確実に防ぐことができる。
【０００９】
請求項４記載の発明のように、水槽本体内に仕切板によって区画された花器として使用する区画槽を備え、該区画槽の底位置に水抜手段を備えることによって、区画槽を花瓶や水盤として使用することが可能となり、観賞魚の優美さと生け花の華やかさが巧みに調和され、優雅な雰囲気を醸し出し、観賞価値をより一層向上させることができる。また、区画槽の底位置に水抜手段を備えることによって、水槽を移動させることなく区画槽内の古い水の交換を容易に行うことが可能となり、生け花のみずみずしい状態を長期間にわたって保つことができる。区画槽内の水は全て交換しなければならないため、水抜手段である水位調整手段はクリップや栓部材等でも十分である。区画槽の使用用途は花器のみに限らず、水槽本体内の水交換を行う際に一時的に観賞魚を移し替えておいたり、観賞魚の稚魚や同じ水槽内で飼育できないような観賞魚を入れて飼育及び観賞するための水槽として使用することもできる。
【００１０】
水槽内の水を排水するには、ホースの先端部分に洗面器等の排水を入れる容器を置くことで容易に排水できる。また、ホースを長いものにすることで、ホースの先端部分を水槽の載置場所から離れたシンクや野外等の排水場所に持っていくことが可能となり、水槽の載置場所で水槽内の水の排水量を任意に調整しながら、水槽内の水は遠く離れた排水場所に排水することができる。さらには、ホースを水槽の載置場所から離れた排水場所まで這わせておけば、水槽の水交換作業を行うだびにホースを離れた排水場所まで持って行く必要がなくなるため、より一層容易に水交換作業を行うことができる。この場合、柔軟性と弾力性を保有するホースを使用しているため、生活面上でホースが邪魔になったり、危険物になったりする問題はない。長いホースを使用する場合は、把持具を備える部分のみをシリコーン製のより柔軟性を保有するホースを使用し、他の部分にはビニール製等のホースを使用し低コスト化を図ることが望ましい。その際、２種類のホースはジョイントや両端にタケノコネジが形成された取付部材等で連結させればよい。水槽本体の材質に関しては、透明度の優れたガラスによって形成することが望ましいが、加工が容易であるアクリル製の板材によって形成してもよい。
【００１１】
【発明の実施の形態】
以下、本発明の実施形態を図面に基づいて説明する。
【００１２】
図１は第１実施形態を示すもので、水槽本体１は、ガラス板によって形成された正面壁２、左右側面壁３ａ、３ｂ、背面壁４、底面壁５と、から構成され、それらを接着によって組み立てた長方形型の水槽であり、底面壁５には水抜手段６が備えてあり、水槽本体１の下方には水槽本体１を載置するための下向きコの字状の架台７が備えてある。水槽本体１内の隅部分に仕切板８を備え、水槽本体１内を水槽として使用し底面壁５に水抜手段６を備えた第１水槽９と、仕切板８によって区画された花器として使用する三角錐状の第２水槽１０と、に分け、第２水槽１０の底面壁５にも水抜手段６を備えている。第１水槽９と第２水槽１０の底面壁５に備えた水抜手段６が架台７内に導かれるように、架台７の各部分はくり抜かれている。第１及び第２水槽９、１０の底面壁５には、ほぼ同じ大きさの水抜孔１１、１２を形成し、各水抜孔１１、１２よりも２０％〜２５％大きな外径を有したホース１３、１４の一端を水抜孔１１、１２内に圧入して強固に孔１１、１２の周壁に固定されている。第１水槽９にはシリコーン製のホース１３を使用し、第２水槽１０にはフッ素ゴム製のホース１４を使用している。各水抜孔１１、１２内に圧入されたホース１３、１４は水槽本体１内の底面壁５と面一になっており、ホース１３の他端部分には、第１水槽９内の水の排水量を任意に調整可能な把持具１５が着脱可能に狭持されており、ホース１４の他端部分は折り曲げ着脱可能にクリップ１７（図示せず）止めしてある。水槽の載置場所外に第１水槽９内の水を排水できるように、ホース１３は長いものを使用しており、第１水槽９内の排水量を調整する把持具１５を備える部分にはシリコーンホース１３を使用し、その他の部分にはビニール製のホース１８を使用している。シリコーンホース１３とビニール製のホース１８は回転式ジョイント１９によって連結されている。
【００１３】
また、第１水槽９内には、透水孔２０が形成された脚部２１を備えた透水板２２を挿入し、第１水槽９の底面壁５に載置することで、第１水槽９の下部に仮槽２３を形成し、排泄物のみを仮槽２３に蓄積可能にし、水抜手段６により容易に除去することができるように構成してある。さらに、第１水槽９内に玉砂利２４（図示せず）を入れるために、透水板２２の上面にネット状板２５を載置し、仮槽２３に玉砂利２４が混入することを防ぐことができる。透水板２２とネット状板２５の両端には貫通孔２６が連通して設けてあり、その貫通孔２６にはフック２７が取り付けられており、第１水槽９内より透水板２２及びネット状板２５を容易に取り出し可能にしてある。第２水槽１０の口部には、生け花を入れた際に生け花が広がらずまとまった形に生けるための口狭部材２８が嵌め込まれている。
【００１４】
さらに、この観賞用水槽体には、第１及び第２水槽９、１０内の水を排水した後、第１及び第２水槽９、１０の口部より新しい水を給水する給水手段２９を備えている。給水手段２９は、給水タンク３０と、ホース１３と、把持具１５と、から構成されており、給水タンク３０にホース１３の一端を接続し、他端部分には把持具１５を狭持しておく。給水する際には、把持具１５のストッパー１６ｄを外し、第１及び第２水槽９、１０内の水位を目視で確認しながら把持具１５を広狭させて調節を行う。水抜手段６と同様に、給水タンク３０の設置場所が水槽の載置場所の近傍であれば、シリコーンホース１３を使用し、別の場所に設置してある場合は、把持具１５を備える部分にシリコーンホース１３を使用し、その他の部分にビニール製のホース１８を使用し、各ホース１３、１８は回転式ジョイント１９で連結させておく。
【００１５】
図２は第２実施形態を示すもので、第１実施形態と相違するところは、仕切板８によって区画された第２水槽１０の形状が長方形であり、第２水槽１０内には、生け花を入れた際に生け花が広がらずまとまった形に生けるための補助花器３１が、口部より立てた状態で内部に収容されている点である。補助花器３１の口部周縁には、より生け花をまとまった形に生けるために口部を狭くするためのリング部材３２が載置してある。また、第１水槽９内のネット状板２５の上面には、水槽の外観の体裁を良好にするために玉砂利２４が敷かれている。
【００１６】
図３は第３実施形態を示すもので、第２実施形態と相違するところは、水槽本体１が、ガラス板によって形成された球状の形態をした金魚鉢型水槽であり、仕切板８によって区画させた花器として使用する区画槽１０がなく、また、透水板２２及びネット状板２５の代わりに水抜孔１１の外径よりも大きな円筒網目状のフィルター部材３３が水槽本体１の底面に載置している点である。フィルター部材３３を載置することで、体裁を良好にするために水槽内の下部に玉砂利２４を入れても、水槽内の水を排水する際に、ホース１３内に玉砂利２４が混入しホース１３内が詰まるのを防ぐことができる。また、フィルター部材３３の上に亀や蛙等の置物３４を載置することで、体裁をより一層良好にすることができる。水槽本体１と架台７の中間には、水槽本体１が架台７の上に安定に固定され且つ水槽本体１の底面に傷が付かないように、ゴムや合成樹脂で形成された緩衝環３５が配置されている。この緩衝環３５に水抜孔１１を連通して形成することにより、圧入したホース１３がより一層強固に固定され、引き抜きを困難にすることができる。水槽本体１の口部周縁には、水槽本体１内に手を入れて掃除を行う際等における怪我を防ぐための、ゴムやプラスティックで形成されたリング部材３６が固着してある。
【００１７】
【発明の効果】
本発明のうち請求項１又は２記載の発明によれば、水槽を載置場所から移動させることなく、水槽内の古い水の交換を容易に行うことが可能であるとともに、任意に水槽内の水の排水量を調節することが可能であり、水槽内を常に観賞魚の生息に適した環境に保つことができるため、元気な観賞魚を観賞できる非常に観賞価値の優れた観賞用水槽体を提供することができる。
【００１８】
本発明のうち請求項３記載の発明によれば、把持具によって水槽内の水の排水量をより一層容易且つ確実に調整することが可能となり、水交換作業の効率をより一層向上させることができる。
【００１９】
本発明のうち請求項４記載の発明によれば、区画槽を花器として使用することが可能となり、１つの水槽で観賞魚と生け花を観賞することができ、今までにないより豪華な雰囲気を醸し出すことが可能となり、さらには、区画槽内の水交換を容易に行うことが可能であるため、生け花のみずみずしい状態を長期間保つことができ、利便性及び観賞性に非常に優れた観賞用水槽体を提供することができる。
【図面の簡単な説明】
【図１】本発明の第１実施形態を示す斜視図である。
【図２】本発明の第２実施形態を示す断面図である。
【図３】本発明の第３実施形態を示す断面図である。
【符号の説明】
１　水槽本体
６　水抜手段
７　架台
８　仕切板
１０　第２水槽（区画槽）
１１　水抜孔
１３　ホース
１５　把持具（水位調整手段）
１６ａ　　握り部
１６ｂ　　狭持部
１６ｃ　　バネ
１６ｄ　　ストッパー部材
２２　透水板（フィルター部材）
２５　ネット状板（フィルター部材）
３３　フィルター部材
【図１】
2004105117.tif 000003
【図２】
2004105117.tif 000004
【図３】
2004105117.tif 000005